(57)【特許請求の範囲】
【請求項１】
取付孔を有する器具本体と；
取付孔の内径より小径の軸部、軸部の先端から突設され取付孔の縁部に係止される爪部を備えた係止爪を有するランプソケットと；
取付孔を覆って器具本体に貼り付けられるとともに、取付孔の位置に対応して取付孔より小径の孔部が設けられ、係止爪を取付孔に挿入する際に、孔部の周辺部分が取付孔の内縁に折り込まれて取付孔の内縁と係止爪の軸部との間に介在される緩衝材と；
を具備していることを特徴とする照明器具。
【請求項２】
器具本体は取付板を有し、取付孔は取付板の一方の表面が内縁側に絞込み加工されて形成されている
ことを特徴とする請求項１記載の照明器具。
【請求項３】
ランプソケットの一面に直管形ランプの一端が接続されるランプ接続部が設けられ、他面に係止爪が突設されるとともに係止爪で取り付けられる器具本体に対してランプ接続部を離反させる方向に付勢するばねが設けられている
ことを特徴とする請求項１または２記載の照明器具。
【発明の詳細な説明】
【０００１】
【発明の属する技術分野】
本発明は、器具本体にランプソケットを取り付けた照明器具に関する。
【０００２】
【従来の技術】
従来、器具本体の両端の端板に対のランプソケットを取り付け、これら対のランプソケット間に直管形のランプを接続する照明器具の構造がある。
【０００３】
器具本体にランプソケットを取り付けるには、器具本体の端板に複数の取付孔を孔開けし、これら各取付孔にランプソケットから突設した複数の各係止爪を差し込んで係止している。
【０００４】
器具本体の端板に係止爪で取り付けるランプソケットの場合、ランプソケットの係止爪が突設される面に、端板に対してランプソケットを離反する方向に付勢する板ばねを設けることにより、両端の端板の間隔のばらつきを吸収して、ランプ接続時の対のランプソケット間の間隔を一定にしている。
【０００５】
【発明が解決しようとする課題】
このような照明器具では、ランプが消灯されていて照明器具が常温にある状態でランプを点灯した場合、ランプの発熱によって照明器具の各部材の温度が急激な温度上昇をきたす。また、ランプが点灯されていて照明器具が温度上昇した状態でランプを消灯した場合にも、各部材からの放熱によって各部材の温度が急激な温度低下をきたす。
【０００６】
器具本体は、ランプ点滅状態切換時の急激な温度変化によって膨張または収縮し、特に、直管形のランプを使用する照明器具では、両端方向に長く、両端の端板間の間隔が変化しやすい。
【０００７】
器具本体の両端の端板間の間隔が変化する際、端板の取付孔とこの取付孔に係止されたランプソケットの係止爪との間でずれが生じ、そのずれが生じた際にきしんだ異音が発生する問題がある。
【０００８】
これは、取付孔が、孔開け加工によりせん断された状態にある切断部分が内縁に臨んでいるため、この切断部分に係止爪が引っ掛かり、器具本体の熱変形が少ないときにはずれが生じず、熱変形が大きくなったときに引っ掛かりが外れて一気にずれることで異音が発生する。
【０００９】
本発明は、このような点に鑑みなされたもので、ランプ点滅状態切換時などの温度変化に伴う異音の発生を抑制できる照明器具を提供することを目的とする。
【００１０】
【課題を解決するための手段】
請求項１記載の照明器具は、取付孔を有する器具本体と；取付孔の内径より小径の軸部、軸部の先端から突設され取付孔の縁部に係止される爪部を備えた係止爪を有するランプソケットと；取付孔を覆って器具本体に貼り付けられるとともに、取付孔の位置に対応して取付孔より小径の孔部が設けられ、係止爪を取付孔に挿入する際に孔部の周辺部分が、取付孔の内縁に折り込まれて取付孔の内縁と係止爪の軸部との間に介在される緩衝材と；を具備しているものである。
【００１１】
そして、ランプソケットの係止爪を取付孔に挿入する際に、緩衝材の孔部の周辺部分が取付孔の内縁に折り込まれて取付孔の内縁と係止爪の軸部との間に介在されるため、取付孔と係止爪との位置ずれを円滑に可能とし、ランプ点滅状態切換時などの温度変化に伴う異音の発生が抑制され、したがって、簡単な構成で異音が抑制されるとともに、組立作業性が向上する。
【００１２】
請求項２記載の照明器具は、請求項１記載の照明器具において、器具本体は取付板を有し、取付孔は取付板の一方の表面が内縁側に絞込み加工されて形成されているものである。
【００１３】
そして、器具本体の取付板の取付孔を、取付板の一方の表面を取付孔の内縁側に絞込み加工したので、取付孔と係止爪との接触抵抗を低減し、ランプ点滅状態切換時などの温度変化に伴う異音の発生が抑制される。
【００１４】
請求項３記載の照明器具は、請求項１または２記載の照明器具において、ランプソケットの一面に直管形ランプの一端が接続されるランプ接続部が設けられ、他面に係止爪が突設されるとともに係止爪で取り付けられる器具本体に対してランプ接続部を離反させる方向に付勢するばねが設けられているものである。
【００１５】
そして、ランプソケットを器具本体に対して離反する方向にばねで付勢し、ランプソケットのランプ接続部に接続される直管形ランプを保持する場合でも、異音の発生が確実に抑制される。
【００１６】
【発明の実施の形態】
以下、本発明の実施の形態を図面を参照して説明する。
【００１７】
図１ないし図４に照明器具の一実施の形態を示し、図１は器具本体の一部、緩衝材およびランプソケットの分解状態の斜視図であり、図２は器具本体の一部、緩衝材およびランプソケットを示し、(a)はランプソケットを組み立てる前の状態の断面図、(b)はランプソケットを組み立てた状態の断面図であり、図３は照明器具の長手方向の断面図であり、図４は照明器具の長手方向と交差する方向の断面図である。
【００１８】
図３および図４に示すように、照明器具は、天井面などに埋め込み設置される埋込形照明器具で、かつ直管形のランプとして２本の直管形蛍光ランプＬを使用する２灯タイプであり、直管形蛍光ランプＬの長手方向に対応して長尺に形成されている。
【００１９】
照明器具の器具本体11は、材質が金属で、天板12、両側の側板13および両端の端板14を有する箱形に形成され、下面には照射開口16が形成されるとともに、周縁には断面略Ｌ字形の縁部15が形成されている。
【００２０】
器具本体11の両端板14の内面には、器具本体11内に配置される各直管形蛍光ランプＬの位置に対応して、各直管形蛍光ランプＬの各端部が接続される対のランプソケット17が並列に並んで取り付けられている。また、天板12には、器具本体11内に配置される両側の直管形蛍光ランプＬの間に、直管形蛍光ランプＬを点灯させる点灯装置18などや、この点灯装置18などを覆って断面略Ｖ字形の反射板19が取り付けられている。
【００２１】
図１および図２に示すように、器具本体11の両端板14には、各ランプソケット17の取付位置に対応して複数の取付孔21が形成されている。これら取付孔21は、略円形で、各ランプソケット17に対応して２つを対として照射開口16に並行な水平方向に並列に形成されている。
【００２２】
ランプソケット17は、絶縁性を有する例えば合成樹脂製のソケット本体23を有し、このソケット本体23の一面には、直管形蛍光ランプＬが接続されるランプ接続部24が形成されている。ランプ接続部24には、直管形蛍光ランプＬの両端の口金から突出する図示しない２本のランプピンが挿入される接続溝25が形成され、この接続溝25の内側に接続溝25を通じて挿入された２本のランプピンとともに回動されて保持する回動保持部26が設けられ、この回動保持部26の外側に回動された２本のランプピンが電気的に接続される図示しない端子が配設されている。
【００２３】
ソケット本体23の他面には、各取付孔21に係止される複数の係止爪27が突設されている。係止爪27は、２つを対とし、ソケット本体23の両側に一体に形成されており、取付孔21の内径より小径でソケット本体23の他面に突設された略円柱状の軸部28、およびこの軸部28の先端からソケット本体23の外側方に向けて突設されて取付孔21の縁部に係止される爪部29を有し、先端が略球面状に形成されている。両係止爪27の軸部28の相反する外側間の間隔は、両取付孔21の内縁の相反する外側間の間隔と略同一、または多少大きく形成され、また、両係止爪27の爪部29の相反する外側間の間隔は、両取付孔21の内縁の相反する外側間の間隔より大きく形成されている。
【００２４】
ソケット本体23の他面には、ソケット本体23を端板14に対して離反させる方向に付勢するばね30が取り付けられている。このばね30は、例えば金属製の板ばねで、中間部がソケット本体23の他面に固定され、両端がソケット本体23の他面から離反するように折り曲げられている。ばね30の両端には、係止爪27が挿通される挿通孔31が形成されているとともに、断面略Ｌ字形に折曲されて端板14の表面に当接する当接部32が形成されている。
【００２５】
端板14の各ランプソケット17の取付位置には、ランプソケット17が取り付けられる前に、対の取付孔21を覆って緩衝材としてのテープ35が貼り付けられている。このテープ35は、例えばポリエステルフィルムなどの透明な樹脂材で、対の取付孔21を覆えるように帯状に形成され、端板14に貼り付けられる面には粘着剤が塗布されている。各取付孔21の位置に対応して取付孔21より小径の孔部36が形成されており、両取付孔21のピッチと両孔部36のピッチとが同一に形成されている。テープ35の長さは、ばね30の両端の当接部32の間隔より長く形成されている。
【００２６】
そして、照明器具の組立時には、図２(a)に示すように、テープ35の各孔部36を各取付孔21の位置に合わせて、各取付孔21を覆うように、テープ35を端板14の各ランプソケット17の取付位置に貼り付ける。
【００２７】
ランプソケット17の各係止爪27を、テープ35の各孔部36および端板14の各取付孔21の位置に合わせて押し込み操作する。これにより、図２(b)に示すように、各係止爪27でテープ35の各孔部36を押し開いて、または切り開いて、テープ35の孔部36の周辺部分を取付孔21の内縁に折り込む。
【００２８】
各係止爪27は、爪部29が取付孔21に挿入される際に、両側の係止爪27の間隔が狭まるように弾性変形しながら取付孔21に挿入されていき、爪部29が取付孔21を乗り越えることにより、両側の爪部29の間隔が弾性的に広がり、軸部28が取付孔21の内縁に当接するとともに、爪部29が取付孔21の縁部に係着して抜け止めする。このとき、取付孔21の内縁に折り込まれたテープ35の部分が取付孔21の内縁と係止爪27の軸部28との間に介在される。
【００２９】
ばね30の当接部32が端板14の表面に弾性的に当接し、ランプソケット17を端板14から離反する方向に付勢する。このとき、端板14とばね30の当接部32との間にテープ35が介在される。
【００３０】
そして、直管形蛍光ランプＬが接続されていない状態では、ばね30の付勢によって、係止爪27の爪部29が取付孔21の縁部に係着している。また、直管形蛍光ランプＬを接続した際には、両端のランプソケット17間の間隔に応じて、ランプソケット17が端板14に接近する方向に押動され、係止爪27の爪部29が取付孔21の縁部から離反する。
【００３１】
とろこで、直管形蛍光ランプＬが消灯されていて照明器具が常温にある状態で直管形蛍光ランプＬを点灯した場合、直管形蛍光ランプＬの発熱によって照明器具の各部材の温度が急激な温度上昇をきたす。また、直管形蛍光ランプＬが点灯されていて照明器具が温度上昇した状態で直管形蛍光ランプＬを消灯した場合にも、各部材からの放熱によって各部材の温度が急激な温度低下をきたす。器具本体11は、ランプ点滅状態切換時の急激な温度変化によって膨張または収縮し、特に、直管形蛍光ランプＬを使用する照明器具では、両端方向に長く、両端の端板14間の間隔が変化しやすい。
【００３２】
器具本体11の両端の端板14間の間隔が変化する際、端板14の取付孔21とランプソケット17の係止爪27との間にテープ35がない場合には、端板14の取付孔21とこの取付孔21に係止されたランプソケット17の係止爪27との間でずれが生じ、そのずれが生じた際にきしんだ異音が発生する。
【００３３】
器具本体11の取付孔21とランプソケット17の係止爪27との間にテープ35を介在させることにより、取付孔21と係止爪27との接触抵抗を低減し、これら取付孔21と係止爪27との位置ずれを円滑に可能とし、ランプ点滅状態切換時などの温度変化に伴う異音の発生を抑制できる。
【００３４】
さらに、器具本体11の端板14とばね30の当接部32との間にもテープ35が介在するので、端板14とばね30の当接部32との接触抵抗を低減し、これら端板14とばね30の当接部32との位置ずれを円滑に可能とし、ランプ点滅状態切換時などの温度変化に伴う端板14とばね30の当接部32との間からの異音の発生を抑制できる。
【００３５】
また、緩衝材としてテープ35を用いれば、このテープ35を取付孔21を覆って器具本体11に貼り付けるだけで、係止爪27を取付孔21に係止させる動作によって取付孔21の部分を取付孔21の内側に折り込むことができ、簡単な構成で異音の抑制を抑制できる。
【００３６】
さらに、器具本体11に貼り付けるテープ35には、取付孔21の位置に対応して取付孔21より小径の孔部36を設けたので、係止爪27を取付孔21に係止させる動作によって係止爪27でテープ35の孔部36から押し開いてまたは切り開いて、テープ35の孔部36の周辺を取付孔21の内縁に折り込むことができ、組立作業性を向上できる。
【００３７】
なお、緩衝材としては、テープに限らず、例えば、ゴムシートなどを用いても、同様の作用効果が得られる。
【００３８】
また、図５に他の実施の形態を示し、図５は器具本体の一部、緩衝材およびランプソケットの組立状態の断面図である。
【００３９】
器具本体11の取付板としての端板14の各取付孔21を、端板14の一方の表面である内面側から取付孔21の内縁側に絞込み加工し、いわゆるシンク孔の形状に形成する。
【００４０】
取付孔21をシンク孔に形成することにより、取付孔21の内縁には、孔開け加工によりせん断された状態にある切断部が臨まず、端板14の表面の一部が絞り込まれて臨むため、この取付孔21とこの取付孔21に係止される係止爪27との接触抵抗を低減でき、ランプ点滅状態切換時などの温度変化に伴う異音の発生を抑制できる。
【００４１】
なお、緩衝材とシンク孔の取付孔21とを併用することにより、より確実に異音の発生を抑制できる。
【００４２】
【発明の効果】
請求項１記載の照明器具によれば、ランプソケットの係止爪を取付孔に挿入する際に、緩衝材の孔部の周辺部分が取付孔の内縁に折り込まれて取付孔の内縁と係止爪の軸部との間に介在されるため、取付孔と係止爪との位置ずれを円滑に可能とし、ランプ点滅状態切換時などの温度変化に伴う異音の発生を抑制でき、したがって、簡単な構成で異音を抑制できるとともに、組立作業性を向上できる。
【００４３】
請求項２記載の照明器具によれば、請求項１記載の照明器具の効果に加えて、器具本体の取付板の取付孔を、取付板の一方の表面を取付孔の内縁側に絞込み加工したので、取付孔と係止爪との接触抵抗を低減し、ランプ点滅状態切換時などの温度変化に伴う異音の発生を抑制できる。
【００４４】
請求項３記載の照明器具によれば、請求項１または２記載の照明器具の効果に加えて、ランプソケットを器具本体に対して離反する方向にばねで付勢し、ランプソケットのランプ接続部に接続される直管形ランプを保持する場合でも、異音の発生を確実に抑制できる。
【図面の簡単な説明】
【図１】  本発明の照明器具の一実施の形態を示し、器具本体の一部、緩衝材およびランプソケットの分解状態の斜視図である。
【図２】  同上器具本体の一部、緩衝材およびランプソケットを示し、(a)はランプソケットを組み立てる前の状態の断面図、(b)はランプソケットを組み立てた状態の断面図である。
【図３】  同上照明器具の長手方向の断面図である。
【図４】  同上照明器具の長手方向と交差する方向の断面図である。
【図５】  他の実施の形態を示す器具本体の一部、緩衝材およびランプソケットの組立状態の断面図である。
【符号の説明】
11    器具本体
14    取付板としての端板
17    ランプソケット
21    取付孔
24    ランプ接続部
27    係止爪
28 軸部
29 爪部
30    ばね
35    緩衝材としてのテープ
36    孔部
【図１】
0004400701.tif 000002
【図２】
0004400701.tif 000003
【図３】
0004400701.tif 000004
【図４】
0004400701.tif 000005
【図５】
0004400701.tif 000006